Podtech/llm-jp-corpus-v4-ja_patent huggingface dataset:
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
被験体における免疫応答の増強または促進のために同時、別個または逐次的に使用するための、（ａ）ＲＡＤ００１または薬学的に許容されるその塩、および（ｂ）ＢＥＺ２３５または薬学的に許容されるその塩を含む、組合せ物。
【請求項２】
ＲＡＤ００１が中性形態である、請求項１に記載の組合せ物。
【請求項３】
ＢＥＺ２３５がモノトシル酸塩である、請求項１または２に記載の組合せ物。
【請求項４】
０．０１〜０．２ｍｇのＲＡＤ００１を含む、請求項１〜３のいずれか一項に記載の組合せ物。
【請求項５】
１〜２０ｍｇのＢＥＺ２３５を含む、請求項１〜４のいずれか一項に記載の組合せ物。
【請求項６】
前記被験体が免疫無防備状態である、請求項１〜５のいずれか一項に記載の組合せ物。
【請求項７】
前記被験体が減損した免疫応答を有する、請求項１〜５のいずれか一項に記載の組合せ物。
【請求項８】
前記被験体が免疫老化状態である、請求項１〜５のいずれか一項に記載の組合せ物。
【請求項９】
加齢に関係する状態について前記被験体を処置するための、請求項１〜５のいずれか一項に記載の組合せ物。
【請求項１０】
前記加齢に関係する状態が、免疫老化、筋肉減少症、筋肉の消耗、腱の硬直、腱損傷、腱炎、アキレス腱断裂、肩の癒着性関節包炎、足底筋膜炎、リウマチ性多発筋痛、肩腱板断裂、脊柱管狭窄症、テニス肘、デュピュイトラン拘縮、不穏下肢症候群、骨粗鬆症、変形性関節症、関節リウマチ、自己免疫疾患、多発性筋炎、痛風、認知症、ハンチントン病、アルツハイマー病、脳委縮、加齢に関係する運動不能（例えば、虚弱）、認知機能低下、加齢に関係する認知症、記憶機能障害、レビー小体認知症、前頭側頭認知症、パーキンソン病、軽度認知機能障害、血管性認知症、脳卒中、一過性脳虚血発作、三叉神経痛、神経障害、睡眠障害、不眠症、アテローム性動脈硬化症、動脈硬化症、高血圧、心臓機能不全、例えば心肥大、収縮機能不全、または拡張機能不全、心不全、拡張型心筋症、駆出率が保たれた心不全、不整脈、心臓弁膜症、慢性閉塞性肺疾患、慢性閉塞性肺疾患増悪、肺気腫、特発性肺線維症、肺高血圧症、肺塞栓症、呼吸困難、ＮＡＳＨおよび肝硬変を含む肝疾患、胆石、腎結石、バレット食道、痔核、褥瘡性潰瘍、憩室炎、便秘、結腸ポリープ、痔核、便失禁、悪液質、吸収不全、勃起機能不全、性欲減退、白内障、加齢黄斑変性症、緑内障、網膜変性症、網膜剥離、ドライアイ、老視、転倒、めまい、良性前立腺肥大、前立腺がん、平均余命の短縮、減損した腎機能、慢性腎不全、急性腎不全、糸球体硬化症、糸球体硬化症、腎硬化症、脱水、神経因性膀胱、尿路感染症、膀胱炎、尿失禁、がん、肥満、メタボリック症候群、前糖尿病、糖尿病、皮膚萎縮症、皮膚老化、皺、脂漏性角化症、光線角化症、皮膚がん、日焼けで損傷を受けた皮膚、酒さ、爪甲真菌症、毛髪の白髪化、脱毛症、加齢性難聴、耳鳴症、嗅覚喪失、歯周疾患、虫歯、口内乾燥、甲状腺疾患、ミトコンドリアの機能不全と関連する疾患、ウェルナー症候群およびハッチンソンギルフォードプロジェリア症候群を含む早期老化症候群および早老症、貧血、葉酸欠乏性貧血、凝固障害、深部静脈血栓症、悪液質、うつ、ならびに平均余命の短縮からなる群より選択される、請求項９に記載の組合せ物。
【請求項１１】
請求項１〜５のいずれか一項に記載の組合せ物および少なくとも１種の薬学的に許容される担体を含む、医薬組成物。
【請求項１２】
被験体における免疫応答を促進または増強するための、請求項１〜５のいずれか一項に記載の組合せ物であって、前記組合せ物が、免疫応答を促進または増強するのに共同で治療上有効な量で投与されることを特徴とする、組合せ物。
【請求項１３】
加齢に関係する状態を有する被験体を処置するための、請求項１〜５のいずれか一項に記載の組合せ物であって、前記組合せ物が、前記加齢に関係する状態に対して共同で治療上有効な量で投与されることを特徴とする、組合せ物。
【請求項１４】
前記加齢に関係する状態が、免疫老化、筋肉減少症、筋肉の消耗、腱の硬直、腱損傷、腱炎、アキレス腱断裂、肩の癒着性関節包炎、足底筋膜炎、リウマチ性多発筋痛、肩腱板断裂、脊柱管狭窄症、テニス肘、デュピュイトラン拘縮、不穏下肢症候群、骨粗鬆症、変形性関節症、関節リウマチ、自己免疫疾患、多発性筋炎、痛風、認知症、ハンチントン病、アルツハイマー病、脳委縮、加齢に関係する運動不能（例えば、虚弱）、認知機能低下、加齢に関係する認知症、記憶機能障害、レビー小体認知症、前頭側頭認知症、パーキンソン病、軽度認知機能障害、血管性認知症、脳卒中、一過性脳虚血発作、三叉神経痛、神経障害、睡眠障害、不眠症、アテローム性動脈硬化症、動脈硬化症、高血圧、心臓機能不全、例えば心肥大、収縮機能不全、または拡張機能不全、心不全、拡張型心筋症、駆出率が保たれた心不全、不整脈、心臓弁膜症、慢性閉塞性肺疾患、慢性閉塞性肺疾患増悪、肺気腫、特発性肺線維症、肺高血圧症、肺塞栓症、呼吸困難、ＮＡＳＨおよび肝硬変を含む肝疾患、胆石、腎結石、バレット食道、痔核、褥瘡性潰瘍、憩室炎、便秘、結腸ポリープ、痔核、便失禁、悪液質、吸収不全、勃起機能不全、性欲減退、白内障、加齢黄斑変性症、緑内障、網膜変性症、網膜剥離、ドライアイ、老視、転倒、めまい、良性前立腺肥大、前立腺がん、平均余命の短縮、減損した腎機能、慢性腎不全、急性腎不全、糸球体硬化症、糸球体硬化症、腎硬化症、脱水、神経因性膀胱、尿路感染症、膀胱炎、尿失禁、がん、肥満、メタボリック症候群、前糖尿病、糖尿病、皮膚萎縮症、皮膚老化、皺、脂漏性角化症、光線角化症、皮膚がん、日焼けで損傷を受けた皮膚、酒さ、爪甲真菌症、毛髪の白髪化、脱毛症、加齢性難聴、耳鳴症、嗅覚喪失、歯周疾患、虫歯、口内乾燥、甲状腺疾患、ミトコンドリアの機能不全と関連する疾患、ウェルナー症候群およびハッチンソンギルフォードプロジェリア症候群を含む早期老化症候群および早老症、貧血、葉酸欠乏性貧血、凝固障害、深部静脈血栓症、悪液質、うつ、ならびに平均余命の短縮からなる群より選択される、請求項１３に記載の組合せ物。
【請求項１５】
約０．０１ｍｇ／日〜約１ｍｇ／日のＲＡＤ００１が投与されることを特徴とする、請求項１〜３のいずれか一項に記載の組合せ物。
【請求項１６】
約０．１ｍｇ／日のＲＡＤ００１が投与されることを特徴とする、請求項１〜５のいずれか一項に記載の組合せ物。
【請求項１７】
約１０ｍｇ／日のＢＥＺ２３５が投与されることを特徴とする、請求項１〜５のいずれか一項に記載の組合せ物。
【請求項１８】
投与が同時に行われる、請求項１〜５のいずれか一項に記載の組合せ物。
【請求項１９】
投与が別個に行われる、請求項１〜５のいずれか一項に記載の組合せ物。
【請求項２０】
約０．１ｍｇ／日のＲＡＤ００１が投与され、約１０ｍｇ／日のＢＥＺ２３５が投与されることを特徴とする、請求項１〜５のいずれか一項に記載の組合せ物。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
2018520147.tif 000001
2018520147.tif 000002
2018520147.tif 000003
【請求項２】
プラチナアナログ及び二酸が１：１の比で結合される、請求項１に記載の共結晶。
【請求項３】
プラチナアナログが、式Ｐｔ−０１，Ｐｔ−０２，Ｐｔ−０３、及びＰｔ−０５からなる群から選択される、請求項１に記載の共結晶。
【請求項４】
二酸が、式ＣＦ−０１，ＣＦ−０２，ＣＦ−０８からなる群から選択される、請求項１又は２に記載の共結晶。
【請求項５】
以下のものからなる群から選択される、請求項１に記載の共結晶：
式Ｐｔ−０１のプラチナアナログと式ＣＦ−０２の二酸を１：１の比で結合して含む共結晶、
式Ｐｔ−０１のプラチナアナログと式ＣＦ−０８の二酸を１：１の比で結合して含む共結晶、
式Ｐｔ−０２のプラチナアナログと式ＣＦ−０８の二酸を１：１の比で結合して含む共結晶、
式Ｐｔ−０３のプラチナアナログと式ＣＦ−０１の二酸を１：１の比で結合して含む共結晶、
式Ｐｔ−０５のプラチナアナログと式ＣＦ−０１の二酸を１：１の比で結合して含む共結晶。
【請求項６】
式Ｐｔ−０１のプラチナアナログと式ＣＦ−０２の二酸を１：１で結合して含み、８．８°，９．０°，１２．０°，１３．２°，１７．７°，１８．０°，１９．１°及び２０．８°±０．２の回折角２シータでピークを含むＸ線粉末回折（ＸＲＰＤ）パターンを有するか、又は
式Ｐｔ−０１のプラチナアナログと式ＣＦ−０８の二酸を１：１で結合して含み、６．３°，１４．４°，１４．９°，１５．３°，２０．０°，２２．７°及び２４．６°±０．２の回折角２シータでピークを含むＸ線粉末回折（ＸＲＰＤ）パターンを有するか、又は
式Ｐｔ−０２のプラチナアナログと式ＣＦ−０８の二酸を１：１で結合して含み、７．９°，１１．９°，１４．５°，１５．８°，１７．０°，１７．４°及び１７．８°±０．２の回折角２シータでピークを含むＸ線粉末回折（ＸＲＰＤ）パターンを有するか、又は
式Ｐｔ−０３のプラチナアナログと式ＣＦ−０１の二酸を１：１で結合して含み、７．２°，９．５°，１３．７°及び１４．４°±０．２の回折角２シータでピークを含むＸ線粉末回折（ＸＲＰＤ）パターンを有するか、又は
式Ｐｔ−０５のプラチナアナログと式ＣＦ−０１の二酸を１：１で結合して含み、６．７°，７．４°，８．２°，１２．３°及び１６．５°±０．２の回折角２シータでピークを含むＸ線粉末回折（ＸＲＰＤ）パターンを有する、請求項１に記載の共結晶。
【請求項７】
式Ｐｔ−０２のプラチナアナログと式ＣＦ−０２の二酸を含み、７．３°，９．４°，１０．１°，１２．５°，１３．６°及び２３．４°±０．２の回折角２シータでピークを含むＸ線粉末回折（ＸＲＰＤ）パターンを有するか、又は
式Ｐｔ−０２のプラチナアナログと式ＣＦ−０１の二酸を含み、７．１°，９．２°及び１０．１°±０．２の回折角２シータでピークを含むＸ線粉末回折（ＸＲＰＤ）パターンを有する、請求項１に記載の共結晶。
【請求項８】
請求項１〜７のいずれかに記載の共結晶の化合物を含む医薬組成物。
【請求項９】
化合物の固体状態がいかなる結晶多形形態又は非結晶形態又はそれらの混合である、請求項８に記載の医薬組成物。
【請求項１０】
少なくとも一種の治療薬又はアジュバント療法薬をさらに含む、請求項９に記載の医薬組成物。
【請求項１１】
治療薬又はアジュバント療法薬が、葉酸、補酵素Ｑ１０、クルクミン、グルタチオン（ＧＳＨ）、アロエ、オリザノール、５−フルオロウラシル、及びボルテゾミブからなる群から選択される、請求項１０に記載の医薬組成物。
【請求項１２】
対象における疾患をその必要において治療するための医薬組成物であって、前記医薬組成物が、請求項８〜１１のいずれかに記載の医薬組成物であり、化合物が、治療有効量である、医薬組成物。
【請求項１３】
疾患が、がん又はウイルス感染である、請求項１２に記載の医薬組成物。
【請求項１４】
がんが、前立腺がん、大腸がん、又は腎臓腺がんである、請求項１３に記載の医薬組成物。
【請求項１５】
がんが、前立腺がんであり、共結晶が、式Ｐｔ−０１のプラチナアナログ及び式ＣＦ−０８の二酸を１：１の比で結合して含み、かつ図１１に記載のＸＲＰＤパターンを有するか、又はがんが、大腸がんであり、共結晶が、式Ｐｔ−０２のプラチナアナログ及び式ＣＦ−０８の二酸を１：１の比で結合して含み、かつ図１７に記載のＸＲＰＤパターンを有するか、もしくは共結晶が、式Ｐｔ−０２のプラチナアナログ及び式ＣＦ−０２の二酸を含み、かつ図１４に記載のＸＲＰＤパターンを有する、請求項１４に記載の医薬組成物。
【請求項１６】
ウイルス感染が、Ｂ型肝炎ウイルス（ＨＢＶ）、Ｃ型肝炎ウイルス（ＨＣＶ）、ヒト免疫不全ウイルス（ＨＩＶ）、又はハンターンウイルスによって起こされる、請求項１３に記載の医薬組成物。
【請求項１７】
化合物の治療有効量が、約０．０１〜約１０ｍｇ／ｋｇ体重である、請求項１２〜１６のいずれかに記載の医薬組成物。
【請求項１８】
医薬組成物が、化合物の有効量、及び医薬的に許容可能な担体又は水性媒体に溶解又は分散された少なくとも一種の治療薬又はアジュバント療法薬の医薬的に許容可能な量を含む水性組成物である、請求項１２〜１７のいずれかに記載の医薬組成物。
【請求項１９】
請求項１の共結晶を製造する方法であって、方法は、（ｉ）プラチナアナログと二酸と適切な溶媒を与えて混合し；（ｉｉ）工程（ｉ）からの混合物を十分な時間期間スラリー化又は攪拌し；そして（ｉｉｉ）それによって形成された共結晶を単離することを含み、好ましくは、プラチナアナログと二酸のモル比は、１：０．１〜１：２０であり、好ましくは、混合物をスラリー化又は攪拌するための時間期間は、０．１〜２４時間である、方法。
【請求項２０】
プラチナアナログが、式Ｐｔ−０２であり、二酸が、式ＣＦ−０１である、請求項１９に記載の方法。
【請求項２１】
請求項１９又は２０に記載の方法によって得られる共結晶。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
下記の構造の化合物ＣＬ２Ａ−ＳＮ−３８を生成する方法であって、
【化１】
2018520148.tif 000001
下記に示されている反応スキームを実施することを含む、前記方法。
【化２】
2018520148.tif 000002
【請求項２】
１．１倍モル過剰量のフッ化テトラブチルアンモニウムを使用して、シリル保護基を除去すること及び中間体６を中間体７に変換することを更に含む、請求項１に記載の方法。
【請求項３】
中間体６を含む有機抽出物に、０．０５Ｍの酢酸ナトリウム緩衝液、ｐＨ５．３による３回の洗浄を実施することを更に含む、請求項１に記載の方法。
【請求項４】
中間体７を含む有機抽出物に、０．２５Ｍのクエン酸ナトリウム緩衝液、ｐＨ６による２回の洗浄を実施することを更に含む、請求項１に記載の方法。
【請求項５】
ジクロロメタン、酢酸エチル及びメタノールの混合物を用いたシリカゲルカラムからの段階溶出によって、中間体７を精製することを更に含む、請求項１に記載の方法。
【請求項６】
中間体９がトリフェニルホスフィンに曝露されない、請求項１に記載の方法。
【請求項７】
ａ）（ｉ）水中の硫酸銅及びアスコルビン酸ナトリウムと、
（ｉｉ）ジクロロメタン中の中間体７、中間体８及び２，６−コリジンと
を含む二相混合物を形成すること、ならびに、
ｂ）前記二相混合物を室温で一晩撹拌すること
を更に含む、請求項１に記載の方法。
【請求項８】
ａ）中間体９をＥＤＴＡ洗浄及びクロマトグラフィーにより精製すること、ならびに、
ｂ）中間体９からシリル基を除去してＣＬ２Ａ−ＳＮ−３８を形成する前に、中間体９を貯蔵のために固体に濃縮すること
を更に含む、請求項１に記載の方法。
【請求項９】
（ｉ）固体中間体９の溶液を形成すること、ならびに（ｉｉ）溶液中の中間体９をジクロロ酢酸及びアニソールと反応させて、ＣＬ２Ａ−ＳＮ−３８を形成することを更に含む、請求項８に記載の方法。
【請求項１０】
ｔｅｒｔ−ブチルメチルエーテル（ｔ−ＢＭＥ）の滴加によって前記ＣＬ２Ａ−ＳＮ−３８を沈殿させることを更に含む、請求項９に記載の方法。
【請求項１１】
ＣＬ２Ａ−ＳＮ３８のマレイミド部分をタンパク質またはペプチドの還元スルフヒドリルと反応させて、ＳＮ３８抱合タンパク質またはペプチドを作製することを更に含む、請求項１に記載の方法。
【請求項１２】
前記タンパク質またはペプチドが、抗体または抗原結合抗体フラグメントであり、前記ＳＮ−３８抱合抗体または抗体フラグメントが免疫抱合体である、請求項１１に記載の方法。
【請求項１３】
前記免疫抱合体を接線流濾過（ＴＦＦ）により精製することを更に含み、前記ＴＦＦが、緩衝液の２５〜３０透析濾過体積を使用して５０，０００ダルトン分子量カットオフ膜により実施される、請求項１２に記載の方法。
【請求項１４】
前記免疫抱合体をｐＨ６．０〜７．０のＧｏｏｄ生物学的緩衝液によって配合すること及び前記免疫抱合体を貯蔵のために凍結乾燥することを更に含み、前記Ｇｏｏｄ生物学的緩衝液が、６〜７のｐＨ範囲、及び１０〜１００ｍＭの緩衝液濃度で、２−（Ｎ−モルホリノ）エタンスルホン酸（ＭＥＳ）、３−（Ｎ−モルホリノ）プロパンスルホン酸（ＭＯＰＳ）、４−（２−ヒドロキシエチル）ピペラジン−１−エタンスルホン酸（ＨＥＰＥＳ）及び１，４−ピペラジンジエタンスルホン酸（ＰＩＰＥＳ）からなる群から選択される、請求項１２に記載の方法。
【請求項１５】
前記抗体または抗体フラグメントが、ＣＬ２Ａ−ＳＮ３８の６と８コピーの間に結合される、請求項１２に記載の方法。
【請求項１６】
前記抗体が、ＬＬ１（抗−ＣＤ７４）、ＬＬ２（抗−ＣＤ２２）、ＲＦＢ４（抗−ＣＤ２２）、ＲＳ７（抗−ＥＧＰ−１）、ＰＡＭ４（抗−ＭＵＣ５ＡＣ）、ＫＣ４（抗−ムチン）、Ａ１９（抗−ＣＤ１９）、Ａ２０（抗−ＣＤ２０）、ＭＮ−１４（抗−ＣＥＡＣＡＭ５）、ＭＮ−１５（抗−ＣＥＡＣＡＭ６）、ＭＮ−３（抗−ＣＥＡＣＡＭ６）、Ｒ１（抗−ＩＧＦ−１Ｒ）、Ｍｕ−９（抗−ＣＳＡｐ）、Ｉｍｍｕ  ３１（抗−ＡＦＰ）、ＣＣ４９（抗−ＴＡＧ−７２）、Ｊ５９１（抗−ＰＳＭＡ）、ＨｕＪ５９１（抗−ＰＳＭＡ）、ＡＢ−ＰＧ１−ＸＧ１−０２６（抗−ＰＳＭＡ二量体）、Ｄ２／Ｂ（抗−ＰＳＭＡ）、Ｇ２５０（抗−炭酸脱水酵素ＩＸ）及びｈＬ２４３（抗−ＨＬＡ−ＤＲ）からなる群から選択される、請求項１２に記載の方法。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
核酸ｍｉＲ−９インヒビターを含む、嚢胞性線維症を処置するための医薬組成物。
【請求項２】
核酸ｍｉＲ−９インヒビターが、ｍｉＲ−９に結合する、請求項１記載の医薬組成物。
【請求項３】
核酸ｍｉＲ−９インヒビターが、ｍｉＲ−９に結合して隔離させ、そのターゲットであるＡＮＯ１ ｍＲＮＡ配列にそれが結合することを妨げる、請求項１記載の医薬組成物。
【請求項４】
核酸ｍｉＲ−９インヒビターが、ｍｉＲ−９の相補的、すなわち、アンチセンス配列と少なくとも７０％配列の同一性を有する核酸配列を含む、請求項１記載の医薬組成物。
【請求項５】
核酸ｍｉＲ−９インヒビターが、ｍｉＲ−９アンタゴミルである、請求項１記載の医薬組成物。
【請求項６】
核酸ｍｉＲ−９インヒビターが、ｍｉＲ−９マイクロＲＮＡ−スポンジである、請求項１記載の医薬組成物。
【請求項７】
核酸ｍｉＲ−９インヒビターが、ｍｉＲ−９に対してターゲッティングされる低分子干渉ＲＮＡ（ｓｉＲＮＡ）である、請求項１記載の医薬組成物。
【請求項８】
核酸ｍｉＲ−９インヒビターが、ｍｉＲ−９に直接結合しないが、代わりにＡＮＯ１核酸配列のｍｉＲ−９ｍＲＮＡターゲット部位に結合する、請求項１記載の医薬組成物。
【請求項９】
ｍｉＲ−９ｍＲＮＡターゲット部位が、ＡＮＯ１ ３’ＵＴＲに局在する、請求項８記載の医薬組成物。
【請求項１０】
核酸ｍｉＲ−９インヒビターが、ターゲット部位ブロッカー（ＴＳＢ）である、請求項８記載の医薬組成物。
【請求項１１】
核酸が、配列番号３の核酸配列を含む、請求項１０記載の医薬組成物。
【請求項１２】
核酸ｍｉＲ−９インヒビターが、ＬＮＡヌクレオチド、又はモルホリノヌクレオチド、又は２’−Ｏ−メチルで修飾されたヌクレオチド、又は２’−０−メトキシエチルで修飾されたヌクレオチド、又は２’−フルオロで修飾されたヌクレオチドを含む、請求項１記載の医薬組成物。
【請求項１３】
核酸ｍｉＲ−９インヒビターが、ウイルスベクターを用いて送達される、請求項１記載の医薬組成物。
【請求項１４】
ベクターが、ＡＡＶベクターである、請求項１３記載の医薬組成物。
【請求項１５】
核酸ｍｉＲ−９インヒビターを、被検者に、核酸ｍｉＲ−９インヒビターが肺に到達することを可能とする任意の好適な方法を用いて投与するための、請求項１記載の医薬組成物。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
対応する一級アミンのホスゲン化によってイソシアネートを製造するための連続プロセスであって：
（ｉ）前記一級アミンを過剰のホスゲンと気相で反応させる工程と；
（ｉｉ）（ｉ）で得たプロセス生成物を、イソシアネートの沸点未満かつ対応する塩化カルバモイルの分解温度より高い温度にて溶媒で処理し、塩化水素および未反応ホスゲンを含有する気体流（ｉｉ−１）ならびに溶媒およびイソシアネートを含有する液体流（ｉｉ−２）を提供する工程と；
（ｉｉｉ）流れ（ｉｉ−１）に存在する前記塩化水素およびホスゲンを分離してホスゲン含有液体流（ｉｉｉ−１）および塩化水素を含有する気体流（ｉｉｉ−２）を提供する工程と；
（ｉｖ）ホスゲン含有液体流（ｉｉｉ−１）を部分蒸発させて二相プロセス生成物を得る工程と；
（ｖ）工程（ｉｖ）で得た二相プロセス生成物を蒸留塔上部に導入し、前記蒸留塔上部からガス状ホスゲン含有流を離脱させる工程と；
（ｖｉ）工程（ｖ）で得た前記ガス状ホスゲン含有流を、工程（ｉ）に再循環させる工程と；
（ｖｉｉ）工程（ｉｉ）で得た溶媒およびイソシアネートを含有する液体流（ｉｉ−２）のワークアップを行い、所望のイソシアネートを単離する工程と
を含んでなる、プロセス。
【請求項２】
工程（ｉｉｉ）が、前記液体流（ｉｉｉ−１）中のホスゲンと一緒に工程（ｉｖ）へ供給する溶媒中へのホスゲンの吸収を含んでなる、請求項１に記載のプロセス。
【請求項３】
工程（ｖ）の前記蒸留塔内の圧力を、この蒸留塔で分離する混合物内に直接導入する蒸気の量を変化させることで調節する、請求項１または２に記載のプロセス。
【請求項４】
工程（ｖ）の前記蒸留塔で分離する混合物に直接導入する蒸気が、
ａ）工程（ｉｖ）で生産した前記二相プロセス生成物の蒸気画分と、
ｂ）前記蒸留塔に導入する、二相であってもよい追加流からのホスゲン蒸気と
を含んでなる、請求項３に記載のプロセス。
【請求項５】
工程（ｖ）の蒸留塔で分離する混合物内に導入する前記蒸気の量の変化が、
ａ）この塔に導入する工程（ｉｖ）で得た前記二相プロセス生成物の総量の変化によって、または
ｂ）この塔に導入する、前記ホスゲン蒸気を含有する二相であってもよい追加流の総量の変化によって、または
ｃ）ａ）およびｂ）双方の方法によって
実行される、請求項４に記載のプロセス。
【請求項６】
ａ）工程（ｉｖ）で生産した前記二相プロセス生成物中の、または
ｂ）前記ホスゲン蒸気を含有する二相であってもよい追加流中の、または
ｃ）双方の流れａ）およびｂ）中の
蒸気の割合を、本質的に一定に保つ、請求項５に記載のプロセス。
【請求項７】
工程（ｖ）の蒸留塔で分離する混合物内に導入する前記蒸気の量の変化が、
ａ）この塔に導入する工程（ｉｖ）で得た前記二相プロセス生成物の蒸気の割合の変化によって、または
ｂ）この塔に導入する、ホスゲン蒸気を含有し本実施態様では二相の前記追加流の蒸気の割合の変化によって、または
ｃ）ａ）およびｂ）双方の方法によって
実行される、請求項４に記載のプロセス。
【請求項８】
工程（ｖ）の蒸留塔で分離する混合物に直接導入する前記蒸気が、完全に、工程（ｉｖ）で生産した前記二相プロセス生成物の蒸気画分からなる、請求項３に記載のプロセス。
【請求項９】
工程（ｖ）の蒸留塔で分離する混合物に導入する前記蒸気の量の変化が、この塔に導入する工程（ｉｖ）で得た前記二相プロセス生成物の総量の変化によって実行される、請求項８に記載のプロセス。
【請求項１０】
工程（ｖ）の蒸留塔で分離する混合物に直接導入する前記蒸気の量の変化が、工程（ｉｖ）で生産した前記二相プロセス生成物の前記蒸気の割合の変化によって実行される、請求項８に記載のプロセス。
【請求項１１】
工程（ｖ）の蒸留塔が、塔頂コンデンサーを備えていない、請求項１〜１０のいずれか一項に記載のプロセス。
【請求項１２】
前記工程（ｉ）および（ｉｉ）が、ｎ個の反応ラインで並行して実行され、ここで、ｎは２以上の自然数であり、前記ｎ個の反応ラインで得たプロセス流（ｉｉ−１）１〜（ｉｉ−１）ｎを、前記工程（ｉｉｉ）〜（ｖ）を実行する（ｎ−１）個以下のワークアップラインでワークアップする、請求項１〜１１のいずれか一項に記載のプロセス。
【請求項１３】
前記ｎ個の反応ラインで得た前記プロセス流（ｉｉ−１）１〜（ｉｉ−１）ｎを一つにまとめ、単一のワークアップラインで一緒にワークアップする、請求項１２に記載のプロセス。
【請求項１４】
前記（ｎ−１）個以下のワークアップラインのそれぞれの場合で得られるガス状ホスゲン含有流が、ｎ個の反応ラインすべてに分配される、請求項１２に記載のプロセス。
【請求項１５】
前記単一のワークアップラインで得た前記ガス状ホスゲン含有流を、ｎ個の個別の流れに分割し、前記ｎ個の反応ラインすべてに分配する、請求項１３に記載のプロセス。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
必要とする対象における幻視の予防および／または処置のための医薬組成物であって、前記医薬組成物が：
（ｉ）治療的有効量のネロタンセリン、またはその薬学的に許容される塩、水和物、多形、もしくは溶媒和物；および
（ｉｉ）薬学的に許容される担体
を含むことを特徴とする医薬組成物。
【請求項２】
請求項１に記載の医薬組成物において、ネロタンセリン、またはその薬学的に許容される塩、水和物、多形、もしくは溶媒和物の治療的有効量が、約１０ｍｇ〜約１６０ｍｇであることを特徴とすることを特徴とする医薬組成物。
【請求項３】
請求項１に記載の医薬組成物において、前記医薬組成物が、即時放出、延長放出、遅延放出、または任意のこれらの組合せのために構成されていることを特徴とする医薬組成物。
【請求項４】
請求項１に記載の医薬組成物において、前記医薬組成物が、経口投与のために製剤化されていることを特徴とする医薬組成物。
【請求項５】
請求項１に記載の医薬組成物において、前記対象が、ヒトであることを特徴とする医薬組成物。
【請求項６】
請求項５に記載の医薬組成物において、前記ヒトが、レビー小体型認知症、可能性の高いレビー小体型の認知症、レビー小体型の認知症、パーキンソン病認知症、パーキンソン病、多系統萎縮症、アルツハイマー病、血管性認知症、認知症、軽度認知機能低下、パーキンソン病精神病、アルツハイマー病精神病、睡眠障害、不眠、妄想、激越、アルツハイマー病の激越、攻撃性、レム睡眠行動障害、統合失調症、および任意のこれらの組合せから選択される状態の診断を有する成人であることを特徴とする医薬組成物。
【請求項７】
請求項５に記載の医薬組成物において、前記ヒトが、幻視、ならびにレビー小体型認知症、可能性の高いレビー小体型の認知症、レビー小体型の認知症、パーキンソン病認知症、パーキンソン病、多系統萎縮症、アルツハイマー病、血管性認知症、認知症、軽度認知機能低下、パーキンソン病精神病、アルツハイマー病精神病、睡眠障害、不眠、妄想、激越、アルツハイマー病の激越、攻撃性、レム睡眠行動障害、統合失調症、および任意のこれらの組合せから選択される状態の同時診断を有することを特徴とする医薬組成物。
【請求項８】
請求項５に記載の医薬組成物において、前記ヒトが、可能性の高いレビー小体型の認知症の診断を有し、可能性の高いレビー小体型の認知症の前記診断が、認知症の存在と、
幻視、認知のゆらぎ、およびパーキンソニズム、および任意のこれらの組合せから選択される少なくとも２つのコア判断基準；ならびに
幻視、認知のゆらぎ、およびパーキンソニズム、および任意のこれらの組合せから選択される１つのコア判断基準；およびレム睡眠行動障害、重度の神経遮断薬感受性、ＤａＴ  ＳＰＥＣＴイメージングスキャン上の低いドパミン輸送体取込み；および任意のこれらの組合せから選択される少なくとも１つの示唆的判断基準
の少なくとも１つとによって定義されることを特徴とする医薬組成物。
【請求項９】
請求項６に記載の医薬組成物において、前記ヒトが、レビー小体型の認知症の診断を有することを特徴とする医薬組成物。
【請求項１０】
請求項１に記載の医薬組成物において、前記対象が、治療的有効量のメラトニン、クエチアピン、クロナゼパム、レボドパ、カルビドパ、抗パーキンソン病薬、アセチルコリンエステラーゼ阻害剤、ＮＭＤＡ受容体アンタゴニスト、およびこれらの組合せからなる群から選択される少なくとも１種のさらなる治療剤を併行的に受けていることを特徴とする医薬組成物。
【請求項１１】
請求項１に記載の医薬組成物において、処置または予防が、幻視の頻度、重症度、またはこれらの組合せにおける減少をもたらすことを特徴とする医薬組成物。
【手続補正書】
【提出日】令和1年7月19日(2019.7.19)
【手続補正１】
【補正対象書類名】明細書
【補正対象項目名】０００４
【補正方法】変更
【補正の内容】
【０００４】
いくつかの実施形態において、本開示は、癌の治療及び／または予防を必要とする対象において、癌を治療及び／または予防する方法であって、対象に１５−ＨＥＰＥもしくはその誘導体、または１５−ＨＥＰＥを含む組成物もしくはその誘導体を投与することを含む、方法を提供する。いくつかの実施形態において、癌は、癌腫、中枢神経系癌、肝臓癌、肝細胞癌、皮膚癌、前立腺癌、乳癌、及び肺癌から選択される。
【手続補正２】
【補正対象書類名】明細書
【補正対象項目名】００８６
【補正方法】変更
【補正の内容】
【００８６】
図１に示されるように、１００μｇ／ｍｌの濃度で、化合物１５（Ｓ）−ＨＥＰＥ  ＥＥ及びＥＰＡ  ＥＥの両方が、カスパーゼ−３／７活性に対する明らかな阻害効果（化合物１５（Ｓ）−ＨＥＰＥ  ＥＥでより強度の効果）を呈した。
本件出願は、以下の構成の発明を提供する。
（構成１）
癌の治療及び／または予防を必要とする対象において、癌を治療及び／または予防する方法であって、前記対象に１５−ＨＥＰＥまたは１５−ＨＥＰＥを含む組成物を投与することを含む、前記方法。
（構成２）
前記１５−ＨＥＰＥが、遊離酸形態である、構成１に記載の方法。
（構成３）
前記１５−ＨＥＰＥが、エステル化形態である、構成１に記載の方法。
（構成４）
前記エステル化形態が、アルキルエステル形態である、構成３に記載の方法。
（構成５）
前記エステル化形態が、エチルエステルである、構成４に記載の方法。
（構成６）
前記エステル化形態が、トリグリセリド形態である、構成３に記載の方法。
（構成７）
前記癌が、癌腫、中枢神経系癌、肝臓癌、肝細胞癌、皮膚癌、前立腺癌、乳癌、癌腫、肉腫、白血病、リンパ腫−骨髄腫、及び中枢神経系癌から選択される、構成１〜６のいずれかに記載の方法。
（構成８）
前記１５−ＨＥＰＥが、１５（Ｓ）−ＨＥＰＥまたはその誘導体を含むか、それから本質的になるか、またはそれからなる、構成１〜７のいずれかに記載の方法。
（構成９）
前記１５−ＨＥＰＥが、１５（Ｒ）−ＨＥＰＥまたはその誘導体を含むか、それから本質的になるか、またはそれからなる、構成１〜８のいずれかに記載の方法。
（構成１０）
中枢神経系疾患の治療及び／または予防を必要とする対象において、中枢神経系疾患を治療及び／または予防する方法であって、前記対象に１５−ＨＥＰＥまたは１５−ＨＥＰＥを含む組成物を投与することを含む、前記方法。
（構成１１）
前記１５−ＨＥＰＥが、遊離酸形態である、構成１０に記載の方法。
（構成１２）
前記１５−ＨＥＰＥが、エステル化形態である、構成１０に記載の方法。
（構成１３）
前記エステル化形態が、アルキルエステル形態である、構成１２に記載の方法。
（構成１４）
前記エステル化形態が、エチルエステルである、構成１３に記載の方法。
（構成１５）
前記エステル化形態が、トリグリセリド形態である、構成１２に記載の方法。
（構成１６）
前記中枢神経系疾患が、カタレプシー、癲癇、脳炎、髄膜炎、片頭痛、ハンチントン病、アルツハイマー病、パーキンソン病、及び多発性硬化症から選択される、構成１０〜１５のいずれか１項に記載の方法。
（構成１７）
前記１５−ＨＥＰＥが、１５（Ｓ）−ＨＥＰＥまたはその誘導体を含むか、それから本質的になるか、またはそれからなる、構成１０〜１６のいずれか１項に記載の方法。
（構成１８）
前記１５−ＨＥＰＥが、１５（Ｒ）−ＨＥＰＥまたはその誘導体を含むか、それから本質的になるか、またはそれからなる、構成１０〜１７のいずれか１項に記載の方法。
（構成１９）
正常細胞増殖の促進を必要とする対象において、正常細胞増殖を促進する方法であって、前記対象に１５−ＨＥＰＥまたは１５−ＨＥＰＥを含む組成物を投与することを含む、前記方法。
（構成２０）
器官内の細胞死の予防を必要とする対象において、器官内の細胞死を予防する方法であって、前記対象に１５−ＨＥＰＥまたは１５−ＨＥＰＥを含む組成物を投与することを含む、前記方法。
（構成２１）
癌性腫瘍増殖の低減を必要とする対象において、癌性腫瘍増殖を低減する方法であって、前記対象に１５−ＨＥＰＥまたは１５−ＨＥＰＥを含む組成物を投与することを含む、前記方法。
（構成２２）
腫瘍成長の遅延を必要とする対象において、腫瘍成長を遅延させる方法であって、前記対象に１５−ＨＥＰＥまたは１５−ＨＥＰＥを含む組成物を投与することを含む、前記方法。
（構成２３）
カスパーゼ−３活性の阻害を必要とする対象において、カスパーゼ−３活性を阻害する方法であって、前記対象に１５−ＨＥＰＥまたは１５−ＨＥＰＥを含む組成物を投与することを含む、前記方法。
（構成２４）
放射線療法に対する癌細胞の感作を必要とする対象において、放射線療法に対して癌細胞を感作させる方法であって、前記対象に１５−ＨＥＰＥまたは１５−ＨＥＰＥを含む組成物を投与することと、同時またはその後に、前記対象における癌細胞を放射線で治療することと、を含む、前記方法。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
ＣＲＴＨ２受容体アンタゴニストの治療的有効量を含む、ＣＲＴＨ２受容体アンタゴニストでの治療に感受性である障害を有する患者の治療用の医薬組成物であって、
該医薬組成物は、投与の前に、以下の表：
【表１】
2018520199.tif 000001
におけるＣＲＴＨ２受容体アンタゴニストマーカーから選択される、より良好な応答の対立遺伝子のコピーの少なくとも１つに関して陽性試験結果を示している患者に投与される、医薬組成物。
【請求項２】
ＣＲＴＨ２受容体アンタゴニスト応答マーカーがｒｓ１２７４８９６１  ＳＮＰであり、そして
患者が、ＣＲＴＨ２受容体アンタゴニストの投与の前に、ｒｓ１２７４８９６１  ＳＮＰのＣ対立遺伝子のコピーの少なくとも１つに関して陽性試験結果を示している、請求項１記載の医薬組成物。
【請求項３】
ＣＲＴＨ２受容体アンタゴニストでの治療に感受性であると診断された患者に投与される、喘息を治療するための医薬組成物であって、該医薬組成物は、ＣＲＴＨ２受容体アンタゴニストの治療的有効量を含み、そして、該医薬組成物は、以下のステップを経由して投与される；
（ａ）ヒト患者から生物学的サンプルを得、
（ｂ）以下の表：
【表２】
2018520199.tif 000002
におけるＣＲＴＨ２受容体アンタゴニストマーカーの少なくとも１つの、より良好な応答の対立遺伝子が生物学的サンプル中に存在するかどうかを検出し、
（ｃ）生物学的サンプルにおいて、より良好な応答の対立遺伝子の存在が検出されたら、患者がＣＲＴＨ２受容体アンタゴニストでの治療に感受性であると診断され、そして、
（ｄ）診断された患者にＣＲＴＨ２受容体アンタゴニストの治療的有効量が投与される、
ことを特徴とする医薬組成物。
【請求項４】
工程（ｄ）が、ロイコトリエン受容体アンタゴニストが患者に投与されることを更に含む、請求項３記載の医薬組成物。
【請求項５】
工程（ｂ）において、ＣＲＴＨ２受容体アンタゴニスト応答マーカーｒｓ１２７４８９６１  ＳＮＰのＣ対立遺伝子を検出し、そして、
工程（ｃ）において、ｒｓ１２７４８９６１  ＳＮＰのＣ対立遺伝子が検出されたら、患者が、ＣＲＴＨ２受容体アンタゴニストでの治療に感受性であると診断される、請求項３または４記載の医薬組成物。
【請求項６】
工程（ｄ）において、診断された患者に、ＣＲＴＨ２受容体アンタゴニストである、｛（７Ｒ）−４−フルオロ−７−［５−（４−フルオロベンジル）−１Ｈ−［１，２，３］トリアゾール−１−イル］−６，７，８，９−テトラヒドロピリド［１，２−ａ］インドール−１０−イル｝−酢酸の有効量およびロイコトリエン受容体アンタゴニストであるモンテルカストが投与される、請求項４または５記載の医薬組成物。
【請求項７】
医薬組成物と、処方情報を含む指示書とを含む医薬品であって、
医薬組成物がＣＲＴＨ２受容体アンタゴニストを含み、そして、処方情報が遺伝薬理学的適応を含み、
ここで、遺伝薬理学的適応が、以下の表：
【表３】
2018520199.tif 000003
におけるＣＲＴＨ２受容体アンタゴニストマーカーから選択される、より良好な応答の対立遺伝子のコピーの少なくとも１つに関して陽性試験結果を示す患者におけるＣＲＴＨ２受容体アンタゴニストでの治療に感受性である疾患の治療を指示し、
該医薬組成物は、前記遺伝薬理学的適応に従って患者に投与される、医薬品。
【請求項８】
処方情報が、ｒｓ１２７４８９６１  ＳＮＰのＣ対立遺伝子のコピーの少なくとも１つに関して陽性試験結果を示す患者におけるＣＲＴＨ２受容体アンタゴニストでの治療に感受性である疾患の治療を含む遺伝薬理学的適応、を含む、請求項７記載の医薬品。
【請求項９】
医薬組成物がロイコトリエン受容体アンタゴニストを更に含む、請求項７または８記載の医薬品。
【請求項１０】
以下の表：
【表４】
2018520199.tif 000004
から選択されるＣＲＴＨ２アンタゴニスト応答マーカーの１つから選択される、より良好な応答の対立遺伝子のコピーの少なくとも１つの存在または非存在に関しての、ＣＲＴＨ２受容体アンタゴニストでの治療に感受性である疾患を有する患者を試験するためのキットであって、ＣＲＴＨ２アンタゴニスト応答マーカーの少なくとも１つを遺伝子型決定するように設計されたオリゴヌクレオチドのセットを含むキット。
【請求項１１】
ＣＲＴＨ２アンタゴニスト応答マーカーがｒｓ１２７４８９６１  ＳＮＰである、請求項１０記載のキット。
【請求項１２】
オリゴヌクレオチドが対立遺伝子特異的オリゴヌクレオチド（ＡＳＯ）プローブである、請求項１０または１１記載のキット。
【請求項１３】
ＣＲＴＨ２受容体アンタゴニストでの治療に感受性である障害が喘息である、請求項１、２および７〜１２のいずれか１項記載の医薬組成物、医薬品またはキット。
【請求項１４】
ＣＲＴＨ２受容体アンタゴニストが、｛（７Ｒ）−４−フルオロ−７−［５−（４−フルオロベンジル）−１Ｈ−［１，２，３］トリアゾール−１−イル］−６，７，８，９−テトラヒドロピリド［１，２−ａ］インドール−１０−イル｝−酢酸もしくは２−（２−メチル−１−（４−（メチルスルホニル）−２−（トリフルオロメチル）ベンジル）−１Ｈ−ピロロ［２，３−ｂ］ピリジン−３−イル）酢酸（フェビピプラント）またはそれらの医薬上許容される塩である、請求項１〜５および７〜１３のいずれか１項記載の医薬組成物、医薬品またはキット。
【請求項１５】
ＣＲＴＨ２受容体アンタゴニストが、｛（７Ｒ）−４−フルオロ−７−［５−（４−フルオロベンジル）−１Ｈ−［１，２，３］トリアゾール−１−イル］−６，７，８，９−テトラヒドロピリド［１，２−ａ］インドール−１０−イル｝−酢酸またはその医薬上許容される塩である、請求項１４記載の医薬組成物、医薬品またはキット。
【請求項１６】
ＣＲＴＨ２受容体アンタゴニストに加えてロイコトリエン受容体アンタゴニストが患者に投与される、請求項１または２のいずれか１項記載の医薬組成物。
【請求項１７】
ロイコトリエン受容体アンタゴニストがモンテルカストである、請求項１６記載の医薬組成物。
【請求項１８】
患者がＣＲＴＨ２受容体アンタゴニストでの治療に感受性であるかどうかを診断するためのデータの取得方法であって、該方法は；
（ａ）ヒト患者から生物学的サンプルを得、
（ｂ）以下の表：
【表５】
2018520199.tif 000005
におけるＣＲＴＨ２受容体アンタゴニストマーカーの少なくとも１つの、より良好な応答の対立遺伝子が生物学的サンプル中に存在するかどうかを検出し、
（ｃ）生物学的サンプルにおいて、より良好な応答の対立遺伝子の存在が検出されたら、その結果を記録する、
工程を含む方法。
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
喫煙物品のヒンジリッドパックであって、
外側ハウジングであって該外側ハウジングの後部壁にわたってヒンジを有する前記外側ハウジングを備え、
前記外側ハウジングは喫煙物品の束の周りを包んでおり、
前記束は、可撓性のシート材料のラッパーの中に包まれた複数の面と、前記束の第一の側面の上で一緒に接着されて前記ラッパーの残りと折り目に沿って結合されるフィンシールを形成する、前記ラッパーの概して内側表面の自由端のへりを持っており、
前記フィンシールが前記折り目に平行な前記束の端の周りで折り曲げられ、前記フィンシールが前記束の後面の上で前記ラッパーに接着される、ヒンジリッドパック。
【請求項２】
前記第一の側面に相反する前記包まれた束の第二の側面に第二のフィンシールが提供され、前記第二のフィンシールが前記包まれた束の別の面に接着される、請求項１に記載のヒンジリッドパック。
【請求項３】
前記第二のフィンシールが前記包まれた束の前記後面に接着される、請求項１または２に記載のヒンジリッドパック。
【請求項４】
前記包まれた束の面に接着され、前記束の前記第一の側面および前記後面のうちの少なくとも１つの上に前記ラッパーの少なくとも一部に延びて接着され、前記フィンシールをこれらに固定する、フィンシール保持パネルをさらに備える、請求項１、２、または３に記載のヒンジリッドパック。
【請求項５】
前記包まれた束が直方体であり、前記フィンシール保持パネルが概して十字形であり、前記束の端面および前記端面に隣接する前記４つの面に接着される、請求項４に記載のヒンジリッドパック。
【請求項６】
前記第一の側面に相反する前記包まれた束の前記第二の側面に第二のフィンシールが提供され、前記フィンシール保持パネルが前記相反する第二の側面に接着されて前記第二のフィンシールをこれに固定する、請求項４または５に記載のヒンジリッドパック。
【請求項７】
請求項１に記載の喫煙物品のヒンジリッドパックを作製する方法であって、
外側ハウジングであって該外側ハウジングの後部壁にわたってヒンジを有する該外側ハウジングを提供することと、
喫煙物品の束を提供することと、
複数の面を持つ喫煙物品の包まれた束を形成するように、前記束を可撓性のシート材料のラッパーの中に包むことと、
前記束の第一の側面で前記ラッパーの前記概して内側表面の自由端のへりを一緒にすることと、
フィンシールを形成するように前記自由端のへりを一緒に接着することと、
前記フィンシールを前記包まれた束の前記後面の上に折り曲げることと、
前記フィンシールを前記第二の面に接着することと、
外側ハウジングを前記包まれた束の周りに提供して、前記外側ハウジングの後部壁が前記束の後面の上にあるようにすることと、をさらに含む方法。
【請求項８】
外側ハウジングを前記包まれた束の周りに提供する前記工程が、ヒンジリッドパックのブランク材を提供することを含む、請求項７に記載の方法。
【請求項９】
前記包まれた束の周りに外側ハウジングを提供する前記工程が、前記包まれた束の周りを前記ハウジングのブランク材で包むことを含み、また前記ハウジングのブランク材が前記包まれた束の周りを包む時に、前記フィンシールが前記後面の上に折り曲げられる、請求項７または８に記載の方法。
【請求項１０】
請求項４に記載の喫煙物品のヒンジリッドパックを作製する、請求項７、８、または９に記載の方法であって、
フィンシール保持パネルを提供することと、
前記フィンシール保持パネルを前記ラッパーの面、および前記ラッパーの前記第一の側面または前記後面の少なくとも一部に接着して前記フィンシールをこれらに固定することと、
外側ハウジングを前記包まれた束の周りに提供することと、をさらに含む方法。
【請求項１１】
さらなるフィンシールが前記第一の側面と相反する前記束の前記第二の側面の上に提供される、請求項７、８、９、または１０のいずれか１項に記載の方法。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
容器取付アセンブリ（１０）であって、
第１の取付板（３１）および第２の取付板（３３）を備え、
前記第１の取付板（３１）および前記第２の取付板（３３）の各々は、トラック係合表面（３４）と、前記トラック係合表面（３４）の反対側の容器取付表面（３２）と、を備え、
前記第１の取付板（３１）は、前記第２の取付板（３３）に結合され、
前記容器取付アセンブリ（１０）は、さらに、
前記トラック係合表面（３４）から外方に延伸する複数のトラック係合部材であって、トラック部材（１００）の１つ以上のトラックスロット（１０６，１０８）に係合するように構成される複数のトラック係合部材と、
前記容器取付表面から離間配置され、かつ外方に延伸する複数の取付レセプタクル（２０，２０’）であって、各取付レセプタクル（２０，２０’）が、容器の挿入物を受容するための少なくとも１つの垂直スロット（１７）を備える複数の取付レセプタクル（２０，２０’）と、
前記取付レセプタクル（２０，２０’）の少なくとも１つに近接し、かつ前記容器取付表面に前記容器を留め付けるように構成される保持係止部材（４０）と
を備える容器取付アセンブリ（１０）。
【請求項２】
前記第１の取付板（３１）が、前記第２の取付板（３３）に枢動可能に結合される、請求項１に記載の容器取付アセンブリ（１０）。
【請求項３】
前記第１の取付板（３１）が、１つ以上のヒンジ（３５）によって前記第２の取付板（３３）に結合される、請求項２に記載の容器取付アセンブリ（１０）。
【請求項４】
前記第１の取付板（３１）が、前記第２の取付板の結合位置に隣接する１つ以上の板留付部材（３６）を備え、前記板留付部材（３６）が、もう１つの取付板に対する各取付板の移動を抑制するように構成される、請求項１に記載の容器取付アセンブリ（１０）。
【請求項５】
前記取付レセプタクル（２０，２０’）の少なくとも１つが、少なくとも１つの保持係止空洞（２３）を備える、請求項１に記載の容器取付アセンブリ（１０）。
【請求項６】
前記保持係止空洞（２３）が、前記垂直スロット（１７）に垂直に延伸するか、または、前記取付レセプタクル（２０，２０’）の１つの上縁に水平に配置される、請求項５に記載の容器取付アセンブリ（１０）。
【請求項７】
前記保持係止部材（４０）が、前記保持係止空洞（２３）内を水平に摺動して前記容器を留め付けるように動作可能な係止バー（４７）である、請求項５に記載の容器取付アセンブリ（１０）。
【請求項８】
前記保持係止部材（４０）が係止位置にあるときに、前記係止バー（４７）が、前記保持係止空洞（２３）内に位置する、請求項７に記載の容器取付アセンブリ（１０）。
【請求項９】
前記取付レセプタクル（２０，２０’）の前記垂直スロット（１７）が、下方先細スロット（１６）であり、前記下方先細スロット（１６）が、上部区分でより大きい幅を有し、かつ下部区分でより小さい幅を有する、請求項１に記載の容器取付アセンブリ（１０）。
【請求項１０】
前記容器の前記挿入物が、フランジ端部を有し、前記フランジ端部が、前記下方先細スロット（１６）の前記上部区分の前記幅よりも小さく、かつ前記下方先細スロット（１６）の前記下部区分の前記幅よりも大きい直径を有する、請求項９に記載の容器取付アセンブリ（１０）。
【請求項１１】
前記複数の取付レセプタクル（２０，２０’）が、複数の横列、複数の縦列、または両方で前記容器取付表面に配設される、請求項１に記載の容器取付アセンブリ（１０）。
【請求項１２】
前記トラック係合部材が、前記トラック部材（１００）の１つ以上のトラックスロット（１０６，１０８）に係合するように動作可能な１つ以上の係止ピン（１２０）を備え、前記１つ以上の係止ピン（１２０）が、前記第１および第２の取付板（３１，３３）のうちの少なくとも一方の前記トラック係合表面に結合され、かつ該トラック係合表面から外方に延伸する、請求項１に記載の容器取付アセンブリ（１０）。
【請求項１３】
前記トラック係合部材が、係合本体（８８）と結合された係合ヘッド（８９）を有する１つ以上の固定トラック係止（１０６，１０８）を備え、前記係合ヘッド（８９）が、前記トラック部材（１００）の１つ以上のトラックスロット（１０６，１０８）に摺動的に係合するように動作可能であり、前記１つ以上の固定トラック係止（１０６，１０８）が、前記第１および第２の取付板（３１，３３）のうちの少なくとも一方の前記トラック係合表面（３４）に固定して結合され、かつ該トラック係合表面（３４）から外方に延伸する、請求項１に記載の容器取付アセンブリ（１０）。
【請求項１４】
前記トラック係合部材が、係合本体（８８）と結合された係合ヘッド（８９）を有する１つ以上の摺動トラック係止（１０６，１０８）を備え、前記係合ヘッド（８９）が、前記トラック部材（１００）の１つ以上のトラックスロット（１０６，１０８）に摺動的に係合するように動作可能であり、前記１つ以上の摺動トラック係止（１０６，１０８）が、前記第１および第２の取付板（３１，３３）のうちの少なくとも一方の前記トラック係合表面（３４）のトラック係止ガイド（１１６）に摺動可能に結合され、かつ該トラック係止ガイド（１１６）から外方に延伸する、請求項１に記載の容器取付アセンブリ（１０）。
【請求項１５】
１つ以上の固定または摺動トラック係止（１０６，１０８）が、ノブを回転させることによって前記トラックに対して前記容器取付アセンブリ（１０）が締められるか、または緩められる回転トラック係止（７０）を備える、請求項１３または１４に記載の容器取付アセンブリ（１０）。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
使用中、少なくとも部分的に水中に沈められる物体であって、前記物体は、船舶及びインフラ物体からなる群から選択され、前記物体はさらに、ＵＶ放射要素を含む生物付着防止システムを備え、前記物体はさらに複数の突出要素を備え、前記ＵＶ放射要素は、前記突出要素の間に構成され、前記突出要素に対して窪んでいるように構成され、前記ＵＶ放射要素は、照射段階中、（ｉ）前記物体の外面の第１の部分、及び（ｉｉ）前記物体の前記外面の前記第１の部分に隣接する水のうちの１つ以上をＵＶ線で照射する、物体。
【請求項２】
前記ＵＶ放射要素は、光源の前記ＵＶ線を、（ｉ）前記物体の前記外面の前記第１の部分、及び（ｉｉ）前記物体の前記外面の前記第１の部分に隣接する水のうちの前記１つ以上に供給する光学媒体を含み、前記光学媒体は前記突出要素の間に構成され、また、前記突出要素に対して窪んでいるよう構成される、請求項１に記載の物体。
【請求項３】
前記光学媒体は１つ以上の前記光源を含み、１つ以上の前記光源は固体光源を含み、前記光学媒体は導波路材料としてシリコーンを含む、請求項２に記載の物体。
【請求項４】
前記外面は前記突出要素を含む、請求項１乃至３の何れか一項に記載の物体。
【請求項５】
（ｉ）前記物体が、前記突出要素を含む表面プロファイルを含み、前記表面プロファイルは前記外面に取り付けられること、及び（ｉｉ）前記生物付着防止システムが前記突出要素を含むことのうちの１つ以上である、請求項１乃至４の何れか一項に記載の物体。
【請求項６】
前記物体は、前記突出要素を含む前記表面プロファイルを含むＵＶ放射ユニットと、請求項２に記載の光学媒体とを含み、前記表面プロファイルは前記外面に取り付けられている、請求項５に記載の物体。
【請求項７】
前記光学媒体は、前記光学媒体の放射線出射面に光源のＵＶ線を供給するように構成され、前記光学媒体は、前記突出要素間に構成され、また、前記突出要素に対して窪んでいるよう構成され、前記生物付着防止システムの前記放射線出射面は、前記外面の一部として構成される、請求項６に記載の物体。
【請求項８】
前記突出要素はスチールを含み、前記突出要素は突出リムとして構成され、前記ＵＶ放射要素は前記突出リム間に構成されている、請求項１乃至７の何れか一項に記載の物体。
【請求項９】
前記ＵＶ放射要素は光源を含み、前記光源は、２つ以上の最も近くに隣接する突出要素を有し、１番目に最も近くに隣接する突出要素と前記光源との間の第１の最短距離は、２番目に最も近くに隣接する突出要素と前記光源との間の第２の最短距離の５０％以下であり、前記突出要素と前記ＵＶ放射要素との間の最小の高さの差は、少なくとも１ｍｍである、請求項１乃至８の何れか一項に記載の物体。
【請求項１０】
前記物体は船舶を含み、前記外面はスチール船体を含む、請求項１乃至９の何れか一項に記載の物体。
【請求項１１】
使用中、少なくとも部分的に水中に沈められる物体を生物付着から保護する方法であって、前記物体は、船舶及びインフラ物体からなる群から選択され、前記方法は、
（ｉ）ＵＶ放射要素を含む生物付着防止システムと、
（ｉｉ）複数の突出要素と、を前記物体に提供するステップを含み、
前記ＵＶ放射要素は、前記突出要素間に構成され、また、前記突出要素に対して窪んでいるよう構成され、
前記ＵＶ放射要素は、照射段階中、（ｉ）前記物体の外面の第１の部分、及び（ｉｉ）前記物体の前記外面の前記第１の部分に隣接する水のうちの１つ以上をＵＶ線で照射するよう構成される、方法。
【請求項１２】
前記外面が複数の前記突出要素を含む、請求項１１に記載の方法。
【請求項１３】
突出要素を含む表面プロファイルと、光源のＵＶ線を光学媒体の放射線出射面に供給するように構成された当該光学媒体とを含む、ＵＶ放射ユニットの形式の生物付着防止システムであって、前記光学媒体は、前記突出要素に対して窪んでいるよう構成される、生物付着防止システム。
【請求項１４】
複数の突出要素を含み、前記光学媒体は前記突出要素間に構成され、前記光学媒体は１つ以上の前記光源を含み、前記１つ以上の光源は固体光源を含み、前記光学媒体は、導波路材料としてシリコーンを含み、前記表面プロファイル及び前記突出要素はスチールを含み、前記突出要素とＵＶ放射要素との間の最小の高さの差は少なくとも１ｍｍである、請求項１３に記載の生物付着防止システム。
【請求項１５】
ＵＶ放射ユニットの形式の生物付着防止システムを物体に提供するための方法であって、前記方法は、前記生物付着防止システムを前記物体の外面に取り付けるステップを含み、前記生物付着防止システムは、（ｉ）突出要素を含む表面プロファイル、及び（ｉｉ）光学媒体を含み、前記光学媒体は、前記突出要素間に構成され、また、前記突出要素に対して窪んでいるよう構成される、方法。